(57)【要約】【課題】本発明の課題は、内側の固定体が全方向の移動ができず、患者が、一旦外側の固定体を外したあとでないと、内側の固定体が容易に外せないものであり、更に、ワンタッチで取り付け・取り外しが簡単な医療用挿管固定具を提供することである。を図ることである。【解決手段】本発明の医療用挿管固定具は、患者の皮膚に当接し全方位の移動を妨げる付着固定体を有し、直接外し動作ができないように付着固定体を外側から包囲し、患者の体に巻きつけ固定する外包固定体を有する。この二重の固定構造に加えて、付着固定体と外包固定体のいずれか又は両者により医療用挿管が把持されていることを特徴とする。【選択図】図１
2013153891.tif 000002
【特許請求の範囲】
【請求項１】
患者の皮膚に当接し少なくとも皮膚面に沿った全方向の移動を妨げる第一の固定を行う付着体を有する付着固定体を有し、直接外し動作ができないようにこの付着固定体を外側から包囲し、患者の体に第二の固定を行う外包固定体を有し、前記付着固定体と前記外包固定体のいずれか又は両者により医療用挿管が把持されることを特徴とする医療用挿管固定具。
【請求項２】
前記付着固定体と前記外包固定体が一体に構成されているか、又は、前記付着固定体と前記外包固定体の間を相互に接続し接続分離可能な第一相互結合具を介して一体化されることを特徴とする請求項１記載の医療用挿管固定具。
【請求項３】
前記外包固定体が身体を巻き締めることが可能な巻き帯と、前記巻き帯の両端に前記両端を相互に結合する結合体を有し、前記両端の一方の端が、二つに分かれることで、前記両端の他方の端を交互に挟み込むようにしたことで２段階の取り外しを必要としたことを特徴とする請求項１又は請求項２記載の医療用挿管固定具。
【請求項４】
前記医療用挿管を溝内に納めてガイドするガイド溝又は前記医療用挿管を巻くかジグザグに沿わせるように絡ませて這わせるためのガイドピンを備えた挿管ガイド部を前記付着固定体又は前記外包固定体のいずれかに備えたことを特徴とする請求項１から請求項３のいずれか１つに記載の医療用挿管固定具。
【請求項５】
前記付着固定体又は前記外包固定体の表面、又は前記挿管ガイド部、又は前記医療用挿管のいずれか１つに、屈曲したガイド溝、又は前記医療用挿管を付着する粘着体、又はギザギザの凹凸をもつ挿管用押さえ体による医療用挿管把持手段を備えて、前記医療用挿管を前記付着固定体又は前記外包固定体に対してズレ抜けることが無いようにしたことを特徴とする請求項１から請求項４のいずれか１つに記載の医療用挿管固定具。
【請求項６】
前記付着固定体又は前記外包固定体に透明部を備えて、医療用挿管に被せる場合に位置関係が見やすいようにしたことを特徴とする請求項１から請求項５のいずれか１つに記載の医療用挿管固定具。
【請求項７】
第一の固定を行う付着体が粘着パッドである場合に、前記粘着パッドを両面粘着性として交換可能にしたことを特徴とする請求項１から請求項６のいずれか１つに記載の医療用挿管固定具。
【請求項８】
前記患者の皮膚からの前記医療用挿管固定具の密着状態の緩み又は前記付着固定体からの前記外包固定体の密着状態の緩みを検出する検出手段を備え、前記密着状態の緩みを検出したときに警報出力する警報手段を有することを特徴とする請求項１から請求項７のいずれか１つに記載の医療用挿管固定具。
【請求項９】
前記警報手段は、密着状態の緩みを検出する前記検出手段は、前記外包固定体の面に垂直方向に前記密着状態に対応して移動可能な移動検出ノブを備えるか、又は前記密着状態の外れを検知する近接センサー又は磁気センサー又は光学センサーを備え、警報音発生器を駆動する駆動体を有する機械式又は電気式の警報手段であることを特徴とする請求項１から請求項８のいずれか１つに記載の医療用挿管固定具。
【請求項１０】
前記移動検出ノブによって警報音発生器を駆動する前記駆動体は、密着状態の緩みがある場合の前記移動検出ノブの位置では前記警報音発生器を駆動し、密着状態の緩みがない場合の前記移動検出ノブの位置では前記警報音発生器を駆動しないものであるが、医療従事者が密着状態を解除する場合に前記警報音発生器が駆動されないように駆動不能状態に切り替える切り替え手段を有することを特徴とする請求項１から請求項９のいずれか１つに記載の医療用挿管固定具。
【請求項１１】
前記駆動不能状態に切り替える切り替え手段は、前記医療用挿管固定具を患者の身体に取り付けた際に元の駆動可能状態にもどるための取り付け密着状態を検知する補助ノブ又は補助スイッチを前記医療用挿管固定具に備えたことを特徴とする請求項１から請求項１０のいずれか１つに記載の医療用挿管固定具。
【請求項１２】
前記駆動体は、前記移動検出ノブの位置により回転の可能・不能が決められた機械回転式の回転棒であり、前記回転棒の回転により前記回転棒に備えた打撃片により警報具を打撃することにより警報音を出力することを特徴とする請求項１から請求項１１のいずれか１つに記載の医療用挿管固定具。
【請求項１３】
前記回転棒の駆動力が、前記回転棒と前記医療用挿管固定具の不動の部分との間に取り付けられた弾性復元体による駆動具で与える場合に、前記弾性復元体に歪を与えるように前記回転棒を手動により回す場合には、前記移動検出ノブによる回転不能状態が解除され、前記回転棒を離した場合に、前記移動検出ノブによる回転不能状態に復帰するようにし、密着状態を外れた前記移動検出ノブの位置になって初めて、前記回転棒が回転して前記警報具が打撃されるようにしたことを特徴とする請求項１から請求項１２のいずれか１つに記載の医療用挿管固定具。
【発明の詳細な説明】
【技術分野】
【０００１】
本発明は、医療上の治療における点滴、透析、輸血などの血管へ挿入するものや、気管カニューレ、気管チューブ、カテーテルなどの医療用挿管を体に患者の体に固定するための医療用挿管固定具に関するものである。
【背景技術】
【０００２】
従来、点滴を例に取ってみると、患者の対象とする静脈に点滴針を挿入し、点滴針の把手部の外管を外した後、これに点滴管に接続した管ユニットを挿入して、粘着テープ等で患者の身体に固定していた。このような医療用に体の中に挿入して治療に供される医療用の挿管として、点滴管以外に透析、輸血や気管カニューレ、気管チューブ、カテーテルなど沢山のものが挙げられる。
医療安全分野の調査によれば、これらに共通して施療中の医療用挿管の引き抜き事故の割合が極めて高く、しかも、睡眠中や、意識外や或いは故意による患者本人による引き抜きが多いことが問題になって久しい。勿論、引き抜きにより治療が満足にいかないだけでなく、場合によっては死亡事故につながる生命の危険がある。このような事情に対応して、
多くの対策が提案されている。
【０００３】
１は、引き抜きができないための提案であり、これには、対象部を固定するものと、引き抜く動作ができないように手を使えなくするものがある。２は、引き抜きがあったことをセンスして回復させる検知するものがある。本発明は、１の場合の提案であるが、これには従来例として、特許文献１では、患者の手を使えなくする手袋（ミット）を被せるもの、特許文献２では、医療用挿管が施術された腕に包囲する筒状体（袖口）が提案されている。
手袋は、手を使えないため引き抜きができないという点で優れているが、その他の動作も制限されてしまい、「動作を制限されているという」患者への精神的負荷が大きいので必ずしも良い対策ではない。筒状体（袖口）は、図８に示すようなものであり、施術された管部を腕ごと覆ってしまい、袖口で例えば腕に締め付けるように固定するため、固定後は動かず、更に、医療用挿管に触れることはできないため、引き抜くことはできないように思われる。しかしながら、腕に締め付ける固定は、腕を袖の固定帯で巻くように固定するので、腕の横方向にはずれないように思われるが、実際は回転するほうにずれることと、最も良くないのは、帯を巻いた方向とは直角が腕の長手方向には容易にずれるため、実際は簡単に引き抜きができてしまう欠点がある。即ち、衣服の袖口と同様に、袖口の腕の周りの回転と腕の前後への移動が容易なことと同じなため、引き抜きの対策のための固定としては、不十分であった。
【先行技術文献】
【特許文献】
【０００４】
【特許文献１】実用新案登録第３１３４８６６号
【特許文献２】特開２００２−３５１２０
【発明の概要】
【発明が解決しようとする課題】
【０００５】
本発明の課題は、内側の固定体が全方向の移動ができず、患者が、一旦外側の固定体を外したあとでないと、内側の固定体が容易に外せないものであり、更に、ワンタッチで取り付け・取り外しが簡単な医療用挿管固定具を提供することである。
【課題を解決するための手段】
【０００６】
本発明の医療用挿管固定具は、患者の皮膚に当接し少なくとも皮膚面に沿った全方向の移動を妨げる付着固定体を有し、直接外し動作ができないようにこの付着固定体を外側から包囲し、患者の体に巻きつけ固定する外包固定体を有する。この二重の固定構造に加えて、前記付着固定体と前記外包固定体のいずれか又は両者により医療用挿管が把持されていることを特徴とする。
以下請求項に沿って述べる。
【０００７】
請求項１記載の発明は、医療用挿管固定具であって、患者の皮膚に当接し少なくとも皮膚面に沿った全方向の移動を妨げる第一の固定を行う付着体を有する付着固定体を有し、直接外し動作ができないようにこの付着固定体を外側から包囲し、患者の体に第二の固定を行う外包固定体を有し、前記付着固定体と前記外包固定体のいずれか又は両者により医療用挿管が把持されることを特徴とする。
【０００８】
請求項２記載の発明は、請求項１記載の医療用挿管固定具において、前記付着固定体と前記外包固定体が一体に構成されているか、又は、前記付着固定体と前記外包固定体の間を相互に接続し接続分離可能な第一相互結合具を介して一体化されることを特徴とする。
【０００９】
請求項３記載の発明は、請求項１又は請求項２記載の医療用挿管固定具において、前記外包固定体が身体を巻き締めることが可能な巻き帯と、前記巻き帯の両端に前記両端を相互に結合する結合体を有し、前記両端の一方の端が、二つに分かれることで、前記両端の他方の端を交互に挟み込むようにしたことで２段階の取り外しを必要としたことを特徴とする。
【００１０】
請求項４記載の発明は、請求項１から請求項３のいずれか１つに記載の医療用挿管固定具において、前記医療用挿管を溝内に納めてガイドするガイド溝又は前記医療用挿管を巻くかジグザグに沿わせるように絡ませて這わせるためのガイドピンを備えた挿管ガイド部を前記付着固定体又は前記外包固定体のいずれかに備えたことを特徴とする。
【００１１】
請求項５記載の発明は、請求項１から請求項４のいずれか１つに記載の医療用挿管固定具において、前記付着固定体又は前記外包固定体の表面、又は前記挿管ガイド部、又は前記医療用挿管のいずれか１つに、屈曲したガイド溝、又は前記医療用挿管を付着する粘着体、又はギザギザの凹凸をもつ挿管用押さえ体による医療用挿管把持手段を備えて、前記医療用挿管を前記付着固定体又は前記外包固定体に対してズレ抜けることが無いようにしたことを特徴とする。
【００１２】
請求項６記載の発明は、請求項１から請求項５のいずれか１つに記載の医療用挿管固定具において、前記付着固定体又は前記外包固定体に透明部を備えて、医療用挿管に被せる場合に位置関係が見やすいようにしたことを特徴とする。
【００１３】
請求項７記載の発明は、請求項１から請求項６のいずれか１つに記載の医療用挿管固定具において、第一の固定を行う付着体が粘着パッドである場合に、前記粘着パッドを両面粘着性として交換可能にしたことを特徴とする。
【００１４】
請求項８記載の発明は、請求項１から請求項７のいずれか１つに記載の医療用挿管固定具において、前記患者の皮膚からの前記医療用挿管固定具の密着状態の緩み又は前記付着固定体からの前記外包固定体の密着状態の緩みを検出する検出手段を備え、前記密着状態の緩みを検出したときに警報出力する警報手段を有することを特徴とする。
【００１５】
請求項９記載の発明は、請求項１から請求項８のいずれか１つに記載の医療用挿管固定具において、前記警報手段は、密着状態の緩みを検出する前記検出手段は、前記外包固定体の面に垂直方向に前記密着状態に対応して移動可能な移動検出ノブを備えるか、又は前記密着状態の外れを検知する近接センサー又は磁気センサー又は光学センサーを備え、警報音発生器を駆動する駆動体を有する機械式又は電気式の警報手段であることを特徴とする。
【００１６】
請求項１０記載の発明は、請求項１から請求項９のいずれか１つに記載の医療用挿管固定具において、前記移動検出ノブによって警報音発生器を駆動する前記駆動体は、密着状態の緩みがある場合の前記移動検出ノブの位置では前記警報音発生器を駆動し、密着状態の緩みがない場合の前記移動検出ノブの位置では前記警報音発生器を駆動しないものであるが、医療従事者が密着状態を解除する場合に前記警報音発生器が駆動されないように駆動不能状態に切り替える切り替え手段を有することを特徴とする。
【００１７】
請求項１１記載の発明は、請求項１から請求項１０のいずれか１つに記載の医療用挿管固定具において、前記駆動不能状態に切り替える切り替え手段は、前記医療用挿管固定具を患者の身体に取り付けた際に元の駆動可能状態にもどるための取り付け密着状態を検知する補助ノブ又は補助スイッチを前記医療用挿管固定具に備えたことを特徴とする。
【００１８】
請求項１２記載の発明は、請求項１から請求項１１のいずれか１つに記載の医療用挿管固定具において、前記駆動体は、前記移動検出ノブの位置により回転の可能・不能が決められた機械回転式の回転棒であり、前記回転棒の回転により前記回転棒に備えた打撃片により警報具を打撃することにより警報音を出力することを特徴とする。
【００１９】
請求項１３記載の発明は、請求項１から請求項１２のいずれか１つに記載の医療用挿管固定具において、前記回転棒の駆動力が、前記回転棒と前記医療用挿管固定具の不動の部分との間に取り付けられた弾性復元体による駆動具で与える場合に、前記弾性復元体に歪を与えるように前記回転棒を手動により回す場合には、前記移動検出ノブによる回転不能状態が解除され、前記回転棒を離した場合に、前記移動検出ノブによる回転不能状態に復帰するようにし、密着状態を外れた前記移動検出ノブの位置になって初めて、前記回転棒が回転して前記警報具が打撃されるようにしたことを特徴とする。
【発明の効果】
【００２０】
以上の様に構成されているので、本発明による医療用挿管固定具は、全方位の方向にずれが生じないだけでなく、患者が意図的外すには、一旦、外側の外包固定体を外してから、内部の付着固定体を外さなければ、外すことができないため、睡眠中や、意識外や或いは故意による患者本人による引き抜きが不可能になる。故意による引き抜きは、一般には、正常な意識と判断力を有している患者では起こらない。意識のしっかりした患者は、身の危険があることをわざわざ行わないからである。一方、正常な意識と判断力を持たない、例えばボケなど症状が進行した意識障害を有する患者が、身の危険に至るなどのリスクを感じることなく、引き抜きを行ってしまのであるが、外側の外包固定体を外して、その後内側の付着固定体を外して引き抜きを行うという２段階の動作になっていることで、外し動作が達成される確率が極めて低くなる。又、外包固定体の結束を２重にするとなお、外し動作が達成されることがよりされなくなる。
【図面の簡単な説明】
【００２１】
【図１】本発明の医療用挿管固定具の一実施態様を示す図である。
【図２】本発明の医療用挿管固定具の別の実施態様を示す図である。
【図３】本発明の医療用挿管固定具の別の実施態様を示す図である。
【図４】本発明の医療用挿管固定具の付着固定体の吸引部の一実施態様を示す図である。
【図５】本発明の医療用挿管固定具の付着固定体に備えた医療用挿管把持手段の一実施態様を示す図である。
【図６】取り外しにより警報を発する手段を有する本発明の医療用挿管固定具の一実施態様を示す図である。
【図７】本発明の医療用挿管固定具を使用のため取り付ける流れの一実施態様を示す図である。
【図８】医療用挿管の引き抜きを防止する従来の手段の例を示す図である。
【発明を実施するための形態】
【００２２】
本発明の医療用挿管固定具は、患者の皮膚に当接し少なくとも皮膚面に沿った全方向の移動を妨げる第一の固定を行う付着体を有する付着固定体を有し、直接外し動作ができないようにこの付着固定体を外側から包囲し、患者の体に第二の固定を行う外包固定体を有する。この二重の固定構造に加えて、前記付着固定体と前記外包固定体のいずれか又は両者により医療用挿管が把持されるようになっていることを特徴とする。
以下図に沿って説明する。
【００２３】
図１は、本発明の医療用挿管固定具の一実施態様を示す図である。
１−Ａには、医療用挿管固定具１００の斜視図、１−Ｂには、Ａ−Ａで切った断面図を示す。医療用挿管固定具１００は、付着固定体１１０とこれを覆う外包固定体１２０を有している。
付着固定体１１０は、患者の皮膚に当接させ、少なくとも皮膚面に沿った全方向の移動を妨げる付着具１１１とこれを支持する固定基板１１２を有している。付着具１１１としては、患者の皮膚との間で付着させて全方位の方向に動かないために、粘着、吸着による付着がよい。ここでは、吸引パッド１１１Ａの例が示されている。固定基板１１２は、更にこれを覆うようにカバーする外包固定体１２０に一体に取り付けられている例である。外包固定体１２０は、図に示すように、腕や脚や首や胴体などの柱状体の体を巻き締めることが可能な巻き帯１２０Ａを有し、その先端に巻き帯１２０Ａを結合する結合体１２１を有している。
帯の両端を結んでもよいが、結合体１２１は、簡単に使用可能なようにホックやファスナー止め、又はこの図の例のように面ファスナーを帯の両端１２２に備えることが好都合である。更に、この図のように、帯の両端１２２において、帯の一端１２２Ａに対して帯の他端１２２Ｂの裏面を結合し、帯の他端１２２Ｂの表面を帯の一端１２２Ａと繋がった帯の別の一端１２２Ｃを結合する２段階の結合にすると、引き抜きの事故の可能性を低減することができる。この構造では、内側の付着具１１１は外包固定体１２０に包みこまれて、直接触ることができないので、取り外すことはできず、横方向などのずれも起こらない。結合体１２１である面ファスナーの２段階の結合を順次外してから、付着固定体１１０を外さなければ引き抜きができない。以上の例は、付着固定体１１０と外包固定体１２０が一体構成されている例である。勿論、付着固定体１１０と外包固定体１２０を別体構成することも可能であり、この間を使用時に結合可能にしておけばよい。
【００２４】
図２は、本発明の医療用挿管固定具の別の実施態様を示す図である。付着固定体１１０と外包固定体１２０が別体に構成されている。２−Ａと２−Ｂは、付着固定体１１０の二つの例を示し、２−Ｃは、外包固定体１２０を示している。一体構成では、取り付けが１回でできる利点があるが、当然ながら医療用挿管を身体に挿入して上から取り付ける形態しかできない。これに対して、別体に構成したものの利点は、医療用挿管を身体に挿入する前後のいずれでも付着固定体１１０を取り付けることが可能となる。即ち、医療用挿管と付着固定体１１０の上下（取り付け前後）関係が自由となり、付着固定体１１０の上に備えたガイドに医療用挿管を支持することにおいて容易である。尚、付着固定体１１０の固定基板１１２が透明であると、医療用挿管に被せる場合に位置関係が見やすいので都合がよい。尚、外包固定体１２０も透明であるとどうようの理由で使いやすく、特に一体型では好都合である。
そして、付着固定体１１０の表と外包固定体１２０の裏には、お互いを位置決め、又は接続のための雄雌対応の凹凸や、ホック、面ファスナーなどの第一相互結合具２０１を備えている。即ち、接続分離可能な結合具を介して付着固定体１１０と外包固定体１２０が一体化されるものである。従って、使用時には、全方向に移動ずれないようになっている。
【００２５】
２−Ａでは、医療用挿管をガイドする挿管ガイド部２０２を備えている。挿管ガイド部２０２は、付着固定体１１０と外包固定体１２０のいずれにも取り付けることが可能である。
挿管ガイド部２０２として、医療用挿管を溝内に納めてガイドするガイド溝２０２Ａを付着固定体１１０に備えている例である。又、第一相互結合具２０１としてここでは、雄又は雌の凹凸部２０１Ａ又は、面ファスナー２０１Ｂを備えた例が示されている。図では、両方を示しているが、片方でよい。
【００２６】
２−Ｂでは、２−Ａとの違いのみ述べると、ガイド溝２０２Ａの代わりにガイドピン２０２Ｂが挿管ガイド部２０２の役割を行う。点線で示すように医療用挿管をガイドピン２０２Ｂに巻くか、ジグザグに沿わせるように絡ませて這わせて使用する。
勿論、付着固定体１１０の下には、患者の皮膚に当接させ、全方位の移動を妨げる付着具１１１が備わっている。
【００２７】
２−Ｃでは、外包固定体１２０は、図に示すように、腕や脚や首や胴体などの体の柱状体を巻き締めることが可能な巻き帯１２０Ａを有し、結合体１２１を有している。巻き帯１２０Ａと結合体１２１は、図１のものと同じなので、この部分の説明は省略して、図１と違う部分を述べる。外包固定体１２０は、付着固定体１１０を覆う部分に付着固定体１１０が備えた第一相互結合具２０１に結合する第二相互結合具２０３を備えている。
例えば、第一相互結合具２０１が、雄の凸部では、第二相互結合具２０３は、これを受け入れる雌の凹部であり、第一相互結合具２０１が面ファスナーであれば、第二相互結合具２０３も面ファスナーとなる。
このようであるので、医療用挿管を患者の身体に固定された付着固定体１１０上に置き保持した状態で、外包固定体１２０を付着固定体１１０の上に置くことで、両者が結合し、後は、外包固定体１２０の巻き帯１２０Ａを腕などに巻き、結合体１２１で結節すれば、固定が簡単に完成する。
【００２８】
図３は、本発明の医療用挿管固定具の別の実施態様を示す図である。図１との違いのみ記述する。
付着固定体１１０の付着具１１１として、図１は吸引パッド１１１Ａの例であったが、図３では、粘着パッド１１１Ｂを用いた例である。３−Ｂと３−Ｃには、Ａ−Ａで切った断面の二つの例を示す。３−Ｂでは、固定基板１１２を有する場合であり、３−Ｃでは、固定基板１１２が無く、外包固定体１２０に直接付いている場合である。
図には無いが、図２の別体型の場合も、吸引パッド１１１Ａではなく、粘着パッド１１１Ｂ或いは、粘着シートを用いることが可能である。特に、３−Ｃにおいて、付着固定体１１０を粘着パッド１１１或いは、粘着シートで構成し、外包固定体１２０と別体型にしたものも簡単で有り可能である。
尚、医療用挿管固定具を取り外したあと何度も使用する場合を想定すると、粘着パッド１１１Ｂを用いる場合は、３−Ｄに示すような所望の形状の両面粘着型の交換用粘着パッド１１１Ｂを用意しておくとよい。粘着パッド１１１Ｂの交換だけで何度も使用することが可能となる。
【００２９】
図４は、本発明の医療用挿管固定具の付着固定体の吸引部の一実施態様を示す図である。
吸引パッド１１１Ａは、よく知られているように、ゴムや高分子樹脂などの弾力復元性の素材で作られたお椀のような形状で、平面において押し圧によりお椀の凹部の空気を押し出すと、周りの空気圧の押し圧により吸着することになるものである。一般には、４−Ａのように凹部４０１が単数のものが多いが、複数のものでもよい。又、４−Ｂのように１枚のシート状に多数のミクロの凹部４０１が集合したマイクロ吸引シート４００も利用することができる。こちらは薄くできるのでその利点を生かすことができる。
【００３０】
図５は、本発明の医療用挿管固定具の付着固定体に備えた医療用挿管把持手段の一実施態様を示す図である。５−Ａには２−Ａ、５−Ｂには２−Ｂが示されているが、図５では、医療用挿管を医療用挿管固定具に対してズレ抜けることが無いように把持する手段の例を示す。挿管ガイド部２０２が５−Ａでは、曲がりくねったガイド溝２０２Ａ、５−Ｂでは、複数のガイドピン２０２Ｂにより行った。５−Ｃでは、ガイド溝２０２Ａは、図のように真っ直ぐな直線状であり、その代わりガイド溝２０２Ａ内か又は医療用挿管に、溝と挿管を付着する挿管用粘着体５０１を備えている。５−Ｄでは、５−Ｂのガイドピン２０２Ｂが無い代わりに、固定基板１１２上又は医療用挿管に、固定基板１１２と医療用挿管を付着する挿管用粘着体５０１を備えている。
５−Ｅでは、ガイド溝２０２Ａの面上にギザギザの凹凸のよる挿管用押さえ体５０２を設けた例であり、付着固定体１１０に外包固定体１２０を取り付けると、挿管用押さえ体５０２の凹凸で医療用挿管が押さえられて動かなくなる。同様に、５−Ｆでは、ガイド溝２０２Ａの無い平面上にギザギザの凹凸のよる挿管用押さえ体５０２がある例である。勿論
ギザギザの凹凸のよる挿管用押さえ体５０２は、付着固定体１１０側でなく、外包固定体１２０側につけることも可能であり効果は同様となる。
磁力を利用する場合は、付着固定体１１０又は外包固定体１２０と医療用挿管の間に磁力により引き合う関係の手段を備えれば可能である。
【００３１】
図６は、取り外しにより警報を発する手段を有する本発明の医療用挿管固定具の一実施態様を示す図である。先ず、６−Ｃの付着固定体１１０は、今まで説明してきた色々の形態を取れるものであり、説明は同じなので省略する。６−Ａでは、外包固定体１２０が示されていて、巻き帯１２０Ａや図示を省略した結合体１２１も図１での説明と同じであるので省略する。他の例と違う部分を述べると以下のようである。
６−Ｂには、機械式の警報装置が示されている。この警報装置は、機械式の警報装置と同様に外れを検知する移動検出ノブの外れたことを検知して警報機を鳴らす或いは他の医療監視端末等に通報する電気式の装置でも勿論可能であるが、構成が簡単な機械式装置の例で説明する。尚、電気式では、電源と制御電子回路、或いは無線等の通信経路を備えれば、移動検出ノブ以外にも近接センサーや、磁気センサー、発光受光素子による光学センサーなども使用でき、センス出力で電子ブザーを鳴らすことや、監視センターに信号を送ることができる。
【００３２】
外包固定体１２０の巻き帯１２０Ａが外されて緩むと、付着固定体１１０と外包固定体１２０の間の密着状態が離れてくる。
移動検出ノブ６１０は、固定ガイド６１１に導かれて上下動を行う滑動ノブ６１２と固定ガイド６１１と滑動ノブ６１２の間に備えたバネ等の第一の復元弾性体６１３があって、滑動ノブ６１２を上に押す力が働かない場合は、下に下りた状態になっている。滑動ノブ６１２の他の端には、下記の回転棒の回転を止める係止片６１４を備えている。
【００３３】
警報器６２０は、ベル等の警報機６２０Ａとこれを駆動する警報機駆動体６２０Ｂを備え、警報機駆動体６２０Ｂは、固定回転ガイド６２１に回転自在に支持された回転棒６２２と、回転棒６２２と図示されない外包固定体１２０の動かない筐体との間に備えたバネ等の第二の復元弾性体６２３が備えられている。回転棒６２２の先端には、回転止め片６２４と他の先端には、回転棒６２２を回転させて第二の復元弾性体６２３を締める（バネネジを巻く）ハンドル６２５を備え、回転棒６２２の適当な位置には、回転棒６２２が回転したときには、ベル等の警報機６２０Ａと接触して警報を鳴らす打撃片６２６を備えている。
固定ガイド６１１と固定回転ガイド６２１とベル等の警報機６２０Ａを支持する警報機支持部６２７は、図示されない外包固定体１２０の筐体又はこれに繋がる固定体６３０に固定的に繋がっている。
【００３４】
このようであるので、外包固定体１２０を付着固定体１１０に重ねて、巻き帯１２０Ａを締めた状態では、滑動ノブ６１２が上側に押されて、係止片６１４が回転止め片６２４に当たって、回転棒６２２が回転できないようになっている。逆に巻き帯１２０Ａが外れると、滑動ノブ６１２が下がって、係止片６１４が回転止め片６２４から離れるので、回転棒６２２は回転可能となり、回転して打撃片６２６がベル等の警報機６２０Ａを叩き、警報音を発生する。滑動ノブ６１２が下がったことを受けて、監視センターに異常警報出力として報知することもできる。
【００３５】
回転棒６２２の回転駆動力は、第二の復元弾性体６２３の復元弾性力により与えられるが、そのためには、外包固定体１２０を付着固定体１１０を重ねて、巻き帯１２０Ａを締めた状態で、ハンドル６２５をまわして第二の復元弾性体６２３を締める向きに回転棒６２２を回転させる。外包固定体１２０を付着固定体１１０を重ねられた状態では、滑動ノブ６１２が押されて上がり、係止片６１４が回転止め片６２４に接触しているので、そのままでは回転棒６２２は回転しないので、回転棒６２２と回転止め片６２４の間をネジを巻く一方方向には回転し、反対方向には回転しない（一方向回転）ラチェット結合にするか、又は、回転棒６２２への回転止め片６２４の接続を固定的ではなく、回転止め片６２４を上下（係止片６１４に離間接近する方向）に動かせるようにして、ハンドル６２５をまわすときのみ、回転止め片６２４を上に引き係止片６１４から離間し、巻いてから戻すようにしてもよい。更に良いのは、ハンドル６２５操作のみで回転止め片６２４の離間接近が自ずと可能に構成することもできる。例えば、ハンドルを巻くときにハンドル６２５により回転棒６２２を引いた状態では、係止片６１４と回転止め片６２４の位置関係がずれて、ハンドル６２５を回転できて、第二の復元弾性体６２３を締めることができ、その後、ハンドル６２５を離すと、第三の復元弾性体６２８により、回転棒６２２が戻って、係止片６１４と回転止め片６２４が接触するように位置関係が戻ることで、回転棒６２２は固定される。滑動ノブ６１２が再び下に下がったときに警報が鳴ることになる。
【００３６】
又、看護者等が外す動作において警報がならないように、回転棒６２２が回らなくするか、滑動ノブ６１２を下に下がらないなどの看護者しか知らない切り替え手段を備えることも好都合である。これは、後者の例でいえば、覆い板６１５を被せた状態では滑動ノブ６１２が下に出ないようにし、この板をつまみ６１６で回転させて、被せ状態を解除することで通常の使用状態に戻すものである。尚、このような手段があると、看護者は、通常の状態に戻すことを忘れる場合がおこり、警報がならないことが招来するので、この対策として、図示しない別の補助ノブを設けて、外包固定体１２０が付着固定体１１０に押し付けられると補助ノブが押されて、これにより覆い板６１５が戻る構造にすれば、使用時には自ずと通常の使用状態に戻っている。或いは、ハンドル６２５をちょっとでも回す動作により、覆い板６１５を逆回転させるようにしてもよい。以上のように色々の手段が考えられる。
【００３７】
６−Ａには、６−Ｂで示した以上のような機械式の警報装置６００が外包固定体１２０内に備えられている。
尚、警報装置は、外包固定体１２０側に収容する代わりに、付着固定体１１０側に収容することも可能である。
【００３８】
図７は、本発明の医療用挿管固定具を使用のため取り付ける流れの一実施態様を示す図である。７−Ａ、７−Ｂ、７−Ｃに各々、点滴針の付設を例にして、付着固定体１１０と外包固定体１２０が別体構成で、針挿入を先にした場合、付着固定体の取り付けを針挿入より早くした場合、一体構成の場合の３つの場合の針挿入から外包固定体１２０で固定までの流れを記述している。
７−Ａでは、ａ．針挿入  ｂ．外針外し  ｃ．チューブ取り付け  の後に、ｄ．付着固定体取り付け  ｅ．外包固定体取り付け    の順で行われる。
７−Ｂでは、ａ．付着固定体取り付け  ｂ．針挿入  ｃ．外針外し  ｄ．チューブ取り付け  ｅ．外包固定体取り付け    の順で行われる。
７−Ｃでは、ａ．針挿入  ｂ．外針外し  ｃ．チューブ取り付け  ｄ．一体型固定具取り付け      の順で行われる。
いずれの例を見ても分かるように、針挿入、外針外し、チューブ取り付けという本来の行為に対して、テープを張ったりすることもなく、非常に簡単に取り付けや外しが可能である。
にも関わらず、横ズレや引き抜き方向へのズレもなく、外から外すことも２段階の動作が必要で行い難くなっている。
【００３９】
尚、付着固定体１１０又は外包固定体１２０の構成素材としては、吸引パッドや、粘着パッドなどは、一般に使用されているので、議論を要しない。固定基板や、外包固定体の固定基板を押さえる箇所は、堅さが有ったほうがよいが、塩化ビニル、ポリエステル、ポリオレフィン、ポリプロピレン、ＰＥＴ、ナイロンなどの多くの高分子樹脂が適用でき、巻き帯の分は、柔らかいところなので、これらの高分子合成繊維や自然繊維の布によるもの、不織布、よく曲がる軟質の高分子薄板体などが利用できる。
又、付着固定体１１０と外包固定体１２０は、最小のサイズで示したが、回りに広がることで、針挿入とチューブを周辺を含めて患者から見えにくくしたものも可能である。
このようなものは、治療具が刺さっているという見た目を隠して患者の恐れ等の感覚を緩和する上で好都合である。尚、管のガイドや付着パッドは図示にとらわれず複数個を備えることも可能である。外包固定体１２０を固定した後、外れないように錠をつけ、看護士や医師が所持する鍵でしか開かないようにすることも可能である。又、外包固定体１２０の表面に、注意書や看護士の名前や、患者の名前、患者の気持ちを和ませるニコニコマークなどのイラスト、メッセージなどを記述することも可能である。
【産業上の利用可能性】
【００４０】
以上のように本発明による医療用挿管固定具は、内側の固定体が全方向の移動ができず、患者が、一旦外側の固定体を外したあとでないと、内側の固定体が容易に外せないものであり、意図せざる或いは意識障害の患者による意図した引き抜き事故を防止でき、医師、看護士などの取り付け・取り外しが簡単であるので、産業上の利用性が極めて大きい。
【符号の説明】
【００４１】
１００  医療用挿管固定具
１１０  付着固定体
１１１  付着具
１１１Ａ  吸引パッド
１１１Ｂ  粘着パッド
１１２  固定基板
１２０  外包固定体
１２０Ａ  巻き帯
１２１  結合体
１２２  帯の両端
１２２Ａ  帯の一端
１２２Ｂ  帯の他端
１２２Ｃ  帯の別の一端
２０１  第一相互結合具
２０１Ａ  凹凸部
２０１Ｂ  面ファスナー
２０２  挿管ガイド部
２０２Ａ  ガイド溝
２０２Ｂ  ガイドピン
２０３  第二相互結合具
４００  マイクロ吸引シート
４０１  凹部
５０１  挿管用粘着体
５０２  挿管用押さえ体
６００  警報装置
６１０  移動検出ノブ
６１１  固定ガイド
６１２  滑動ノブ
６１３  第一の復元弾性体
６１４  係止片
６１５  覆い板
６１６  つまみ
６２０  警報器
６２０Ａ  ベル等の警報機
６２０Ｂ  警報機駆動体
６２１  固定回転ガイド
６２２  回転棒
６２３  第二の復元弾性体
６２４  回転止め片
６２５  ハンドル
６２６  打撃片
６２７  警報機支持部
６２８  第三の復元弾性体
６３０  固定体
【図１】
2013153891.tif 000003
【図２】
2013153891.tif 000004
【図３】
2013153891.tif 000005
【図４】
2013153891.tif 000006
【図５】
2013153891.tif 000007
【図６】
2013153891.tif 000008
【図７】
2013153891.tif 000009
【図８】
2013153891.tif 000010